(57)【特許請求の範囲】
【請求項１】
操作手段と、前記操作手段に接続された制御手段と、前記制御手段に接続されたデータ蓄積手段と、前記制御手段に接続された無線受信手段および無線送信手段を備え、前記無線受信手段を介して健康計測機器から代謝データを受信し、前記制御手段が前記代謝データを前記データ蓄積手段に蓄積し、前記制御手段が前記データ蓄積手段に蓄積された代謝データを前記無線送信手段を介して映像音響機器に送信するリモコン。
【請求項２】
請求項１記載のリモコンと、前記リモコンの操作手段の操作でテレビ用ポータルサイトが表示され、前記テレビ用ポータルサイトが表示された後、前記操作手段を操作すると、前記リモコンから代謝データを受信すると共にセンターサーバが代謝データの加工表示を表示させる映像音響機器とを備えた健康管理システム。
【請求項３】
インターネットを介してセンターサーバに接続する携帯無線端末をさらに備え、前記センターサーバがデータベースを参照して、前記携帯無線端末に代謝データの加工表示を表示させる請求項２記載の健康管理システム。
【請求項４】
インターネットを介してセンターサーバに接続するコンピュータをさらに備え、前記センターサーバがデータベースを参照して、前記コンピュータに代謝データの加工表示を表示させる請求項２記載の健康管理システム。
【発明の詳細な説明】
【技術分野】
【０００１】
本発明は血圧計、体温計、心電計などの健康計測機器と通信可能で、かつテレビやビデオなどの映像音響機器の操作を行うリモコンおよびそれを利用した健康管理システムに関するものである。
【背景技術】
【０００２】
近年、健康への関心が高まる中、家庭で簡便に体温や体重、血圧等の管理を行うことができる健康管理システムが求められている。
【０００３】
このような従来の健康管理システムについて、図１０〜図１１を用いて説明する。
【０００４】
図１０は従来の健康管理システムのシステム構成図であり、同図において、１は測定した心電データを通信する機能のある心電計、２は測定した血圧データを通信する機能のある血圧計、３は測定した体温データを通信する機能のある体温計、４は測定した体重データを通信する機能のある体重計である。
【０００５】
また、５は心電計１、血圧計２、体温計３、体重計４などの健康計測機器と通信を行い、心電データ、血圧データ、体温データ、体重データなどの代謝データを蓄積する情報端末装置であり、テレビ６上に設置されている。
【０００６】
そして、情報端末装置５はテレビ６に接続され、また、電話線７を経由してプロバイダ８と接続している。
【０００７】
そして、プロバイダ８はインターネット９を介して、センターサーバ１０と接続されており、センターサーバ１０は病院１１や健康アドバイスセンター１２に接続されて、健康管理システム１３が構成されている。
【０００８】
このように構成された健康管理システム１３において、健康計測機器により測定された代謝データは情報端末装置５にまず蓄積される。そして、情報端末装置５に蓄積された代謝データは情報端末装置５から電話線７、プロバイダ８およびインターネット９を経由して病院１１や健康アドバイスセンター１２に送られる。
【０００９】
病院１１や健康アドバイスセンター１２では、代謝データに基づいて健康を維持するためのアドバイスをする図１１の画面図に示す診断データ１５が作成される。そして、診断データ１５はインターネット９、プロバイダ８および電話線７を経由して、情報端末装置５に送られる。
【００１０】
そして、情報端末装置５は、情報端末装置５に蓄積された代謝データと共に診断データをテレビ６に送り、テレビ６では、例えば図１１に示すように、ディスプレイ１４に、診断データ１５、代謝データ１６および情報端末装置５の操作表示１７が並べて表示されるものとなっていた。
【００１１】
ここで、従来の健康管理システムにおいて、情報端末装置５はテレビ６上に配置されテレビ６や電話線７と接続されており、持ち運ぶことが難しいため、健康計測機器から代謝データを受信する際は、健康計測機器を情報端末装置５の近傍まで運んで通信を行っていた。
【００１２】
なお、この出願の発明に関連する先行技術文献情報としては、例えば、特許文献１が知られている。
【先行技術文献】
【特許文献】
【００１３】
【特許文献１】特開２００２−２５９５７０号公報
【発明の概要】
【発明が解決しようとする課題】
【００１４】
しかしながら、従来の健康管理システムにおいては、代謝データを蓄積する情報端末装置５は、テレビ６や電話線７と接続されているため、情報端末装置５をテレビ６から外して持ち運ぶことは煩雑であり、そのため、代謝データを収集する度に、健康計測機器を情報端末装置５の近傍に持ってこなければならなかった。
【００１５】
本発明は、このような従来の課題を解決するものであり、容易に持ち運び可能なリモコンを用い、リモコンの操作手段を操作してテレビにテレビ用ポータルサイトが表示された後、操作手段を操作すると、代謝データが映像音響機器に送信されると共に代謝データの加工表示がテレビに表示されるもので、簡便な構成で、視覚的に代謝データの変化などを確認するのに適したリモコンおよびそれを用いた健康管理システムを提供することを目的とする。
【課題を解決するための手段】
【００１６】
上記目的を達成するために本発明は、以下の構成を有するものである。
【００１７】
本発明の請求項１に記載の発明は、リモコンの無線受信手段を介して健康計測機器から代謝データを受信し、制御手段が代謝データをデータ蓄積手段に蓄積し、制御手段がデータ蓄積手段に蓄積された代謝データを無線送信手段を介して映像音響機器に送信するものであり、代謝データをデータ蓄積手段に蓄積して持ち運びでき、かつテレビやビデオなどの映像音響機器に代謝データを送信できるため、簡便な構成の健康管理システムに適したリモコンを得ることができるという作用を有する。
【００１９】
請求項２に記載の発明は、請求項１記載のリモコンと、リモコンの操作手段の操作でテレビ用ポータルサイトが表示され、テレビ用ポータルサイトが表示された後、操作手段を操作すると、リモコンから代謝データを受信すると共にセンターサーバが代謝データの加工表示を表示させる映像音響機器とを備えたもので、テレビ用ポータルサイトを介しているので、データベースを参照して代謝データの加工表示を表示させるセンターサーバのプログラムの構成を簡素なものとすることができるという作用を有する。
【００２０】
請求項３に記載の発明は、請求項２記載の健康管理システムにおいて、さらにインターネットを介してセンターサーバに接続する携帯無線端末を備えて、センターサーバがデータベースを参照して、携帯無線端末に代謝データの加工表示を表示させるもので、例えば病院などで医者に血圧や体重などの変化を説明する際に、ユーザの携帯電話を使って視覚的に説明することができるため効率的な健康管理が可能となるという作用を有する。
【００２１】
請求項４に記載の発明は、請求項２記載の健康管理システムにおいて、さらにインターネットを介してセンターサーバに接続するコンピュータを備えて、センターサーバがデータベースを参照して、コンピュータに代謝データの加工表示を表示させるもので、例えば病院などで使用しているコンピュータを用いて、医者により正確な血圧や体重などの変化を説明することができるため、さらに効率的な健康管理が可能となるという作用を有する。
【発明の効果】
【００２２】
以上のように本発明によれば、簡便な構成で、視覚的に代謝データの変化を確認するのに適したリモコンおよびそれを用いた健康管理システムを実現することができるという有利な効果が得られる。
【図面の簡単な説明】
【００２３】
【図１】本発明の第一の実施の形態による健康管理システムのシステム構成を示すブロック図
【図２】同テレビとリモコンのシステム構成を示すブロック図
【図３】同健康管理システムの動作を示すフローチャート
【図４】同健康管理システムの表示変化の説明図
【図５】同健康管理システムの表示変化の説明図
【図６】同健康管理システムに用いたリモコンのデータ蓄積手段に蓄積された代謝データの構成図
【図７】同健康管理システムの動作を示すフローチャート
【図８】本発明の第二の実施の形態による健康管理システムのシステム構成を示すブロック図
【図９】本発明の第二の実施の形態による他の健康管理システムのシステム構成を示すブロック図
【図１０】従来の健康管理システムのシステム構成図
【図１１】従来の健康管理システムの画面図
【発明を実施するための形態】
【００２４】
以下、本発明の実施の形態について、図１〜図９を用いて説明する。
【００２５】
なお、背景技術の項で説明した構成と同一構成の部分には同一符号を付する。
【００２６】
（実施の形態１）
図１は本発明の第一の実施の形態による健康管理システムのシステム構成を示すブロック図、図２はテレビとリモコンのシステム構成を示すブロック図で、図１において、１は測定した心電データ２０Ａを通信する機能のある心電計、２は測定した血圧データ２０Ｂを通信する機能のある血圧計、３は測定した体温データ２０Ｃを通信する機能のある体温計、４は測定した体重データ２０Ｄを通信する機能のある体重計である。
【００２７】
また、２１は心電計１、血圧計２、体温計３、体重計４などの健康計測機器と通信を行い、心電データ２０Ａ、血圧データ２０Ｂ、体温データ２０Ｃ、体重データ２０Ｄなどの代謝データを蓄積するリモコンである。
【００２８】
ここで、リモコン２１は、図２に示すように、プッシュ式のボタンやタッチパネルなどの操作手段４１と、操作手段４１と接続され操作手段４１から信号が入力される制御手段４２と、制御手段４２と接続され健康計測機器からの代謝データを受信する無線受信手段４３と、制御手段４２と接続されリモコン２１外部へ送信する無線送信手段４４と、制御手段４２と接続され健康計測機器から受信した代謝データを蓄積するデータ蓄積手段４５から構成される。
【００２９】
また、２２はリモコン２１から代謝データを無線通信により受信する映像音響機器としてのテレビであり、リモコン２１から代謝データを受信する無線受信手段５１と、無線受信手段５１と接続され無線受信手段５１から代謝データが入力される制御手段５２とを備える。
【００３０】
また、例えばＬＡＮ（Ｌｏｃａｌ  Ａｒｅａ  Ｎｅｔｗｏｒｋ）などの家庭内ネットワーク２３により接続されるネットワーク通信手段５４を備えており、このネットワーク通信手段５４は制御手段５２と接続され、また、制御手段５２は制御手段５２と接続された液晶ディスプレイやプラズマディスプレイなどのディスプレイ５５の表示を制御している。
【００３１】
さらに、テレビ２２は家庭内ネットワーク２３の中継機能を備えるルータ２４に接続される。ここで、３０はユーザが居住する家屋を示しており、心電計１、血圧計２、体温計３、体重計４などの健康計測機器、リモコン２１、テレビ２２、ルータ２４はこの家屋３０内にある。
【００３２】
そして、ルータ２４はＦＴＴＨ（Ｆｉｂｅｒ  ｔｏ  ｔｈｅ  Ｈｏｍｅ）などの光回線やＡＤＳＬ（Ａｓｙｍｅｔｒｉｃ  Ｄｉｇｉｔａｌ  Ｓｕｂｓｃｒｉｂｅｒ  Ｌｉｎｅ）などの電気回線を用いた家庭外ネットワーク３１を介してインターネット９と接続される。
【００３３】
また、３５はセンターサーバで、インターネット９やルータ２４などを介して、テレビ２２と接続している。このセンターサーバ３５は、テレビ２２から代謝データを受信し、テレビ２２のディスプレイ５５にセンターサーバ３５内に作成されたテレビ用ホームページなどを表示させる機能を備えている。
【００３４】
また、３６はセンターサーバ３５と接続されたデータベースサーバで、このデータベースサーバ３６には、センターサーバ３５経由でテレビ２２から受信した代謝データがデータベース３７として蓄積されている。
【００３５】
そして、これらのリモコン２１、テレビ２２、センターサーバ３５、データベースサーバ３６を備えて、健康管理システム４０が構成されている。
【００３６】
このように構成された健康管理システム４０の動作について、図３〜図７を用いて説明する。まずこの健康管理システム４０の動作の概要について説明すると、図３のフローチャートにおいて、まずリモコン２１が、健康計測機器から代謝データを受信し（Ｓ１）、制御手段４２がデータ蓄積手段４５に蓄積する（Ｓ２）。そして、図４の表示変化の説明図で示すように、ユーザがリモコン２１の操作手段４１であるボタン７１を一回操作すると、テレビ用ポータルサイト７２がテレビ２２に表示され（Ｓ３）、操作手段４１であるボタン７５を操作すると、図５の表示変化の説明図で示すように、代謝データの加工表示７６がテレビ２２に表示される（Ｓ４）。
【００３７】
次に、このＳ１からＳ４の動作の詳細について説明する。
【００３８】
Ｓ１は、リモコン２１が、健康計測機器から代謝データを受信するステップで、健康計測機器が例えばテレビ２２から離れた部屋にある場合には、リモコン２１を健康計測機器の近傍に持ち運んで、ユーザは健康計測機器が測定中の代謝データや、健康計測機器内に蓄積された代謝データをリモコン２１に受信させる。
【００３９】
次に、Ｓ２は、リモコン２１が受信した代謝データを、制御手段４２がデータ蓄積手段４５に蓄積するステップである。ここで、図６はデータ蓄積手段４５に蓄積された代謝データの構成図で、データ蓄積手段４５には、例えば同図（ａ）で示すように、ユーザが代謝データを測定した日付６１と、心電データ２０Ａ、血圧データ２０Ｂ、体温データ２０Ｃ、体重データ２０Ｄなどの代謝データが対応して、マトリクス状のデータとして蓄積されている。
【００４０】
なお、血圧データ２０Ｂは、例えば最高血圧と最低血圧が対になって保存されており、また心電データ２０Ａは、同図（ｂ）で示すような、縦軸が心電電圧、横軸が時間で示した心電電圧の変化のグラフが測定日や脈拍などのメモ表示６２と共に例えばｇｉｆ（ｇｒａｐｈｉｃ  ｉｎｔｅｒｃｈａｎｇｅ  ｆｏｒｍａｔ）形式やＪＰＥＧ（Ｊｏｉｎｔ  Ｐｈｏｔｏｇｒａｐｈｉｃ  Ｅｘｐｅｒｔｓ  Ｇｒｏｕｐ）形式などの画像ファイルとして保存されている。
【００４１】
そしてＳ３は、テレビ用ポータルサイト７２をテレビ２２に表示するステップであり、図４に示したリモコン２１の操作手段４１の操作として、例えば、上面に設けられたボタン７１を一回押圧すると、テレビ２２のディスプレイ５５に、制御手段５２がテレビ用ポータルサイト７２を表示する。
【００４２】
なお、テレビ用ポータルサイトとは、主にインターネットへの接続機能を持ったテレビ向けに様々なサービスを提供することを目的としたポータルサイトのことである。
【００４３】
ここで、テレビ用ポータルサイト７２には、例えば「ニュース」、「天気予報」、「交通情報」などの略方形の枠で囲まれたアイコン７３によるメニュー７４が表示され、アイコン７３として、例えば「健康管理」などと表示された代謝アイコン７３Ａが表示されている。
【００４４】
さらに、Ｓ４は代謝データの加工表示をテレビ２２に表示するステップで、ディスプレイ５５にテレビ用ポータルサイト７２が表示された後に、図５に示すように、ユーザがリモコン２１の上面に設けられた操作手段４１としてのボタン７５を一回押圧すると、例えば体重データ２０Ｄの一日毎の変化を示した経過表示などの加工表示７６が表示される。
【００４５】
このＳ４の内容について、図７のフローチャートを用いて説明すると、まずユーザのボタン７５に対する押圧操作、すなわち操作手段４１に対する操作で、代謝アイコン７３Ａが選択される（ＳＳ１）。
【００４６】
代謝アイコン７３Ａを選択した後、制御手段４２は、無線送信手段４４を介して、データ蓄積手段４５に蓄積された代謝データを送信信号Ｔ１として、テレビ２２に送信し、送信信号Ｔ１を、テレビ２２の無線受信手段５１を介して、制御手段５２が受信する（ＳＳ２）。
【００４７】
そして、テレビ２２の制御手段５２が受信した代謝データは、ネットワーク通信手段５４から送信され、家庭内ネットワーク２３、家庭外ネットワーク３１、インターネット９などを経由して、センターサーバ３５が受信する（ＳＳ３）。
【００４８】
そして、センターサーバ３５は、データベースサーバ３６に蓄積されたデータベース３７を確認し、受信した代謝データと対照してデータベース３７を更新する（ＳＳ４）。
【００４９】
このデータベース３７は、例えばマトリクス状のフォーマットで蓄積され、例えばユーザごとにユーザＩＤが割り振られ、各ユーザＩＤに対応して、例えば、日付６１、心電データ２０Ａ、血圧データ２０Ｂ、体温データ２０Ｃ、体重データ２０Ｄなどが蓄積されている。
【００５０】
そして、センターサーバ３５は、例えば本日までの所定期間として例えば直近二ヶ月間の代謝データで更新されたものがあるか否かを、データベース３７とテレビ２２から送られた代謝データを対照して確認し、更新されたものがあればデータベース３７の対応した部分を更新する。
【００５１】
それから、センターサーバ３５は更新されたデータベース３７の代謝データを参照し、テレビ２２のディスプレイ５５に例えば図５のように体重データ２０Ｄの一日毎の変化を示した経過表示などの加工表示７６を表示する（ＳＳ５）。
【００５２】
なお、他の加工表示７６の例として、予めセンターサーバ３５やデータベース３７に登録されたユーザの性別および身長を用いたＢＭＩ（Ｂｏｄｙ  Ｍａｓｓ  Ｉｎｄｅｘ）などの体格指数表示、最高・最低血圧の相関図表示、最高血圧・脈拍の相関図表示、日毎の体温データ２０Ｃの変化を記録して女性が基礎体温の周期が変化していないか確認するための解析表示などが挙げられる。
【００５３】
このような加工表示７６間の表示の切替えは、ユーザのリモコン２１の操作手段４１の操作により行われるもので、例えばリモコン２１のボタン７１やボタン７５の押圧操作のみで代謝データの多様な推移などの加工表示７６を確認できるため、ユーザが簡便に健康管理を行うことが可能となる。
【００５４】
なお、ここで一種類の加工表示７６を表示するだけであれば、リモコン２１の操作手段４１の操作は、テレビ用ポータルサイト７２を表示させる一回の操作と、加工表示をディスプレイ５５に表示する一回の操作の計二回の操作で表示することができるため、非常にシンプルな操作で利用可能な健康管理システム４０を提供することができる。
【００５５】
さらに、この健康管理システム４０で利用しているテレビ用ポータルサイト７２は既存のもので対応することができ、健康管理システム４０を構成するにあたっては、データベースサーバ３６のデータベース３７を制御するセンターサーバ３５のプログラムを作成し、ユーザにリモコン２１を提供するだけでよく、既存のテレビ用ポータルサイト７２を利用して簡便で安価に健康管理システム４０の構築が可能である。
【００５６】
なお、リモコン２１は必ずしも健康管理システム４０専用としなくても良く、代謝データの加工表示を表示するための操作回数は増えるものの、テレビ２２に標準で付属するリモコン（図示せず）を用いて、例えば上下左右にカーソルを移動するボタンなどを用いて代謝データの加工表示７６を表示させても良い。
【００５７】
さらに、上述の説明ではセンターサーバ３５とデータベースサーバ３６は別体のものとして説明したが、センターサーバ３５とデータベースサーバ３６を一体として一つのサーバとして構成しても良い。
【００５８】
また、センターサーバ３５がテレビ２２と通信し、テレビ２２からセンターサーバ３５が代謝データを受信するものとして説明したが、データベースサーバ３６をインターネット９に直接接続させ、データベースサーバ３６がテレビ２２から代謝データを受信する構成としても本発明の実施は可能である。
【００５９】
さらに、リモコン２１やテレビ２２の通信手段としては、赤外線による光通信が最もリモコン２１の無線送信手段４４、無線受信手段４３、およびテレビ２２の無線受信手段５１の回路構成が簡便であると考えられるものの、電波によって受信を行っても良い。その場合には、テレビ２２とリモコン２１が通信可能な距離を延ばすことができる。
【００６０】
また、上述の説明では、リモコン２１から信号を受信する映像音響機器としてテレビ２２を例にとり説明したが、映像音響機器は、テレビ２２に限られるものではなく、テレビ用ポータルサイト７２でアイコン７３の選択を行うことができる機器であれば良く、例えばテレビ２２に接続されたビデオやセットトップボックスなどでも良い。
【００６１】
なお、無線送信手段４４、無線受信手段４３は別体のものでも一体のものでも良い。
【００６２】
このように本実施の形態によれば、無線受信手段４３を介して健康計測機器から代謝データを受信し、制御手段４２が代謝データをデータ蓄積手段４５に蓄積し、制御手段４２がデータ蓄積手段４５に蓄積された代謝データを無線送信手段４４を介して映像音響機器に送信するものであり、代謝データをデータ蓄積手段４５に蓄積して持ち運びでき、かつ映像音響機器に代謝データを送信できるため、簡便な構成の健康管理システム４０に適したリモコン２１を得ることができるものである。
【００６４】
さらに、テレビ用ポータルサイト７２が表示され、テレビ用ポータルサイト７２が表示された後、操作手段４１を操作すると、代謝データが映像音響機器に送信されると共にセンターサーバ３５が代謝データの加工表示を表示させるもので、テレビ用ポータルサイトを介しているので、データベースを参照して代謝データの加工表示７６を表示させるセンターサーバ３５のプログラムの構成を簡素なものとすることができるものである。
【００６５】
（実施の形態２）
実施の形態２を用いて、本発明の特に請求項４〜５記載の発明について説明する。
【００６６】
実施の形態２を用いて、本発明の他の実施の形態について説明する。
【００６７】
なお、実施の形態１の構成と同一構成の部分には同一符号を付して、詳細な説明を省略する。
【００６８】
図８は本発明の第二の実施の形態を示す健康管理システムのシステム構成を示すブロック図で、第一の実施の形態と異なるのは、携帯電話などの携帯無線端末８１が新たに設けられ、携帯無線端末８１が中継装置８２経由でインターネット９に接続している点である。
【００６９】
例えば、ユーザが病院やトレーニングセンターなどに行った際に、医者やトレーナーに血圧や体重などの変化を説明する際に、ユーザが携帯無線端末８１を操作すると、携帯無線端末８１とセンターサーバ３５が中継装置８２とインターネット９経由で通信する。
【００７０】
センターサーバ３５はデータベースサーバ３６に蓄積されたデータベース３７を参照し、携帯無線端末８１に血圧データ２０Ｂや体重データ２０Ｄなどの代謝データの推移や直近の血圧データ２０Ｂや体重データ２０Ｄの値を表示する。
【００７１】
そして、携帯無線端末８１に表示された代謝データを用いて、ユーザは医者やトレーナーに説明することができるため、的確に代謝データの現状を伝えることができるため、健康管理システムとして便利である。
【００７２】
なお、図９のシステム構成を示すブロック図のように、携帯無線端末８１ではなく、プロバイダ８３を介してパソコンなどのコンピュータ８４をインターネット９に接続する構成としても、本発明の実施は可能である。
【００７３】
その場合、病院やトレーニングセンターで使用しているコンピュータ８４の表示を使って説明ができるため、携帯無線端末８１より表示が見やすく、また加工表示７６間で表示を変えることも携帯無線端末８１より容易であるため、正確な代謝データの変化を伝えやすいという利点が有る。
【００７４】
このように本実施の形態によれば、インターネット９を介してセンターサーバ３５に接続する携帯無線端末８１を備えて、センターサーバ３５がデータベース３７を参照して、携帯無線端末８１に代謝データの加工表示７６を表示させるもので、例えば病院などで医者に血圧データ２０Ｂや体重データ２０Ｄなどの代謝データの変化を説明する際に、ユーザの携帯電話などの携帯無線端末８１を使って視覚的に説明することができるため効率的な健康管理が可能となるものである。
【００７５】
また、インターネット９を介してセンターサーバ３５に接続するコンピュータ８４を備えて、センターサーバ３５がデータベース３７を参照して、コンピュータ８４に代謝データの加工表示７６を表示させるもので、例えば病院などで使用しているコンピュータ８４を用いて、医者により正確な血圧データ２０Ｂや体重データ２０Ｄなどの代謝データの変化を説明することができるため、さらに効率的な健康管理が可能となるものである。
【産業上の利用可能性】
【００７６】
本発明によるリモコンおよび健康管理システムは、簡便な構成で、視覚的に代謝データの変化を確認するものであり、インターネットを用いた健康管理システムとして有用である。
【符号の説明】
【００７７】
１  心電計
２  血圧計
３  体温計
４  体重計
９  インターネット
２０Ａ  心電データ
２０Ｂ  血圧データ
２０Ｃ  体温データ
２０Ｄ  体重データ
２１  リモコン
２２  テレビ
２３  家庭内ネットワーク
２４  ルータ
３０  家屋
３１  家庭外ネットワーク
３５  センターサーバ
３６  データベースサーバ
３７  データベース
４０  健康管理システム
４１  操作手段
４２、５２  制御手段
４３、５１  無線受信手段
４４  無線送信手段
４５  データ蓄積手段
５４  ネットワーク通信手段
５５  ディスプレイ
６１  日付
６２  メモ表示
７１、７５  ボタン
７２  テレビ用ポータルサイト
７３  アイコン
７３Ａ  代謝アイコン
７４  メニュー
８１  携帯無線端末
８２  中継装置
８３  プロバイダ
８４  コンピュータ
【図１】
0005447165.tif 000002
【図２】
0005447165.tif 000003
【図３】
0005447165.tif 000004
【図４】
0005447165.tif 000005
【図５】
0005447165.tif 000006
【図６】
0005447165.tif 000007
【図７】
0005447165.tif 000008
【図８】
0005447165.tif 000009
【図９】
0005447165.tif 000010
【図１０】
0005447165.tif 000011
【図１１】
0005447165.tif 000012